(57)【要約】【課題】放送受信手段におけるチャンネル切り換えの頻度を低減できるようにすると共に、放送チャンネルの選局作業を迅速かつ正確に実行できるようにする。【解決手段】複数の放送チャンネルを選択的に受信してモニタ画面に画像を表示すると共に、受信可能な放送チャンネルのリストを取得する受像機本体６０と、所定の表示部を有してこの受像機本体６０が受信する放送チャンネルを切り換えるリモコン５と、受像機本体６０によって取得されたチャンネルリストを記憶する書き換え可能な半導体メモリ５０とを備え、この半導体メモリ５０がリモコン５に着脱自在に接続されると共に、当該半導体メモリ５０に記憶されたチャンネルリストが該リモコン５の表示部に表示されるものである。放送受信手段側で放送チャンネルをいちいちアップダウン切り換えしなくても、チャンネルリストの中から視聴したい放送チャンネルを選択し決定できる。【選択図】　　　　図１
2004040224.tif 000002
【特許請求の範囲】
【請求項１】
複数の放送チャンネルを選択的に受信してモニタ画面に画像を表示すると共に、受信可能な放送チャンネルのリストを取得する放送受信手段と、
所定の表示部を有して前記放送受信手段が受信する放送チャンネルを切り換える遠隔操作手段と、
前記放送受信手段によって取得された放送チャンネルのリストを記憶する書き換え可能な記憶手段とを備え、
前記記憶手段が前記遠隔操作手段に着脱自在に接続されると共に、当該記憶手段に記憶されたリストが該遠隔操作手段の表示部に示されることを特徴とする放送受信装置。
【請求項２】
前記記憶手段を第１の記憶手段としたとき、
前記放送受信手段は、
当該放送受信手段が受信可能な放送チャンネルのリストを記憶する第２の記憶手段を有し、
前記第１の記憶手段が前記放送受信手段に接続されると共に、当該放送受信手段の第２の記憶手段に記憶されたリストが該第１の記憶手段に記憶されることを特徴とする請求項１に記載の放送受信手段。
【請求項３】
前記記憶手段を第１の記憶手段としたとき、
前記放送受信手段は、
当該放送受信手段が受信可能な放送チャンネルのリストを記憶する第２の記憶手段と、
前記第２の記憶手段に記憶されたリストを赤外線信号に変換して送信する赤外線信号送信手段とを有し、
前記遠隔操作手段は、
前記赤外線送信手段によって送信された赤外線信号を受信して放送チャンネルのリストに変換する赤外線信号受信手段を有し、
前記赤外線信号受信手段によって受信されたリストは、前記遠隔操作手段に着脱自在に接続された第１の記憶手段に記憶されることを特徴とする請求項１に記載の放送受信装置。
【請求項４】
前記記憶手段が前記遠隔操作手段に接続されていない場合には、
前記遠隔操作手段と前記記憶手段とが接続されていないことを示す表示が当該遠隔操作手段の表示部に示されることを特徴とする請求項１に記載の放送受信装置。
【請求項５】
前記記憶手段が前記遠隔操作手段に接続された状態で当該記憶手段に前記放送チャンネルのリストが記憶されていない場合には、
前記記憶手段に前記リストが記憶されていないことを示す表示が当該遠隔操作手段の表示部に示されることを特徴とする請求項１に記載の放送受信装置。
【請求項６】
前記記憶手段によって記憶された放送チャンネルのリストが最新のリストでない場合には、
前記記憶手段に記憶されたリストが最新のものではないことを示す表示が前記放送受信手段のモニタ画面、又は前記遠隔操作手段の表示部に示されることを特徴とする請求項１に記載の放送受信装置。
【請求項７】
前記遠隔操作手段の表示部に示されたリストの中から任意の放送チャンネルをＧＵＩを利用して選択し、決定することによって、
前記放送受信手段が受信する放送チャンネルを切り換える信号が当該遠隔操作手段から送信されることを特徴とする請求項１に記載の放送受信装置。
【発明の詳細な説明】
【０００１】
【発明の属する技術分野】
この発明は、地上波放送や、ＢＳ／ＣＳ放送及びケーブルテレビなど多数の放送チャンネルを受信してモニタ画面に画像を表示するテレビジョン受像機等に適用して好適な放送受信装置に関するものである。詳しくは、放送受信手段が受信可能な放送チャンネルのリストを記憶する記憶手段を備え、この記憶手段が遠隔操作手段に着脱自在に接続されると共に、この記憶手段に記憶されたリストが遠隔操作手段の表示部に示されることによって、視聴したい放送チャンネルを容易に選択し決定できるようにしたものである。
【０００２】
【従来の技術】
近年、テレビジョン放送は、地上波放送に加えてＢＳデジタル放送やＣＳデジタル放送、ケーブルテレビ（ＣＡＴＶ：Ｃａｂｌｅ　Ｔｅｌｅｖｉｓｉｏｎ）など多数あり、多チャンネル化が進みつつある。例えば、米国においては、デジタル衛星放送（ＤＳＳ：Ｄｉｇｉｔａｌ　Ｓａｔｅｌｌｉｔｅ　Ｓｙｓｔｅｍ（Ｈｕｇｈｅｓ　Ｃｏｍｍｕｎｉｃａｔｉｏｎｓ社の商標））やＣＡＴＶにおいて、１５０乃至１７５チャンネルあるいは５００チャンネルも受信可能な放送チャンネルが存在する。
【０００３】
このように多数の放送チャンネルの中から所望の放送チャンネルをテレビジョン受像機で視聴する場合には、例えば、テレビジョン受像機で受信可能な放送チャンネルがプリセットされると共に、テレビジョン受像機又はリモコンにアップダウン式のチャンネル切り換えスイッチが設けられ、このチャンネル切り換えスイッチを何度か押して、所望の放送チャンネルを選択するようになされている。
【０００４】
あるいはまた、テレビジョン受像機又リモコンにテンキーが設けられ、このテンキーを用いてチャンネル番号を数値入力することによって、所望の放送チャンネルにチャンネル設定できるようになされている。
【０００５】
【発明が解決しようとする課題】
ところで、従来方式に係るテレビジョン受像機によれば、アップダウン式のチャンネル切り換えスイッチを何度か押して、テレビジョン受像機側で放送チャンネル（以下で、受信チャンネルともいう）をいちいち切り換えながら所望の放送チャンネルを選択していた。
【０００６】
このため、放送チャンネルの選択に長時間を要してしまうという問題があった。また、テレビジョン受像機内でのチャンネル切り換え動作の処理量も多く、テレビジョン受像機に掛かる負担が大きいという問題があった。
【０００７】
さらに、テレビジョン受像機又リモコンに視聴したい放送チャンネルのチャンネル番号を数値入力して、テレビジョン受像機の受信チャンネルを設定する場合には、この放送チャンネルのチャンネル番号を記憶しておく必要があった。そのため、受信可能なチャンネル数が多くなるにつれて、チャンネル番号を忘れてしまうおそれがあり、所望の放送チャンネルを速やかに視聴できないおそれがあった。
【０００８】
そこで、この発明はこのような問題を解決したものであって、放送受信手段におけるチャンネル切り換えの頻度を低減できるようにすると共に、放送チャンネルの切り換えを迅速かつ正確に実行できるようにした放送受信装置の提供を目的とする。
【０００９】
【課題を解決するための手段】
上述した課題は、複数の放送チャンネルを選択的に受信してモニタ画面に画像を表示すると共に、受信可能な放送チャンネルのリストを取得する放送受信手段と、所定の表示部を有して放送受信手段が受信する放送チャンネルを切り換える遠隔操作手段と、放送受信手段によって取得された放送チャンネルのリストを記憶する書き換え可能な記憶手段とを備え、この記憶手段が遠隔操作手段に着脱自在に接続されると共に、当該記憶手段に記憶されたリストが該遠隔操作手段の表示部に示されることを特徴とする放送受信装置によって解決される。
【００１０】
本発明に係る放送受信装置によれば、放送チャンネルのリストが記憶手段に記憶され、この記憶手段が遠隔操作手段に着脱自在に接続される。そして、この遠隔操作手段の表示部に受信可能な放送チャンネルのリストが表示される。
【００１１】
従って、放送受信手段側で放送チャンネルをいちいちアップダウン切り換えしなくても、受信可能なチャンネルリストの中から視聴したい放送チャンネルを選択し決定することができる。また、視聴可能な放送チャンネルの番号をいちいち記憶し、かつ入力する手間を省くことができる。
【００１２】
【発明の実施の形態】
図１は本発明の実施形態に係るテレビジョン受像機１００の構成例を示す概念図である。
この実施形態では、放送受信手段が受信可能な放送チャンネルのリストを記憶した記憶手段を遠隔操作手段に着脱自在に接続し、記憶手段に記憶されたリストを遠隔操作手段の表示部に示して、遠隔操作手段の表示部に示されたリストの中から視聴したい放送チャンネルを選択して決定できるようにし、放送受信手段におけるチャンネル切り換えの頻度を低減できるようにすると共に、放送チャンネルの切り換えを迅速かつ正確に実行できるようにしたものである。
【００１３】
図１に示すテレビジョン受像機１００は、本願発明に係る放送受信装置の一例であり、地上波放送や、ＢＳ／ＣＳ放送及びケーブルテレビなど多数の放送チャンネルを受信してモニタ画面に画像を表示する装置である。このテレビジョン受像機１００は、複数の放送チャンネルを選択的に受信してモニタ画面６２に画像を表示する受像機本体（放送受信手段の一例）６０を備えている。
【００１４】
この受像機本体６０のモニタ画面６２は、例えばサイズが３２型、アスペクト比が４：３のフラットタイプである。この受像機本体６０には、例えば地上波チューナと、ＢＳデジタルチューナ及びＣＳデジタルチューナとが設けられており、地上波放送（ＶＨＦ／ＵＨＦ）と、ＢＳ／ＣＳデジタル放送が受信可能になされている。
【００１５】
この受像機本体６０は、これらのチューナで受信可能な全ての放送チャンネルをオートサーチすると共に、オートサーチした結果をリスト化して保存する機能を有している。この受信可能な放送チャンネルのリストをチャンネルリストともいう。
【００１６】
また、図１に示すように、このテレビジョン受像機１００は、受像機本体６０を遠隔操作するためのリモコン（遠隔操作手段の一例）５を備えている。このリモコン５によって、受像機本体６０は電源がオン／オフされると共に、受信チャンネルが切り換えられ、音量等が調節される。
【００１７】
図１に示すように、このリモコン５の前面には、ＧＵＩ（Ｇｒａｐｈｉｃａｌ　Ｕｓｅｒ　Ｉｎｔｅｒｆａｃｅ）表示用の液晶表示部６１が設けられる。また、この液晶表示部６１の前面には、電源スイッチボタン６５、音量調節ボタン６３が設けられている。さらに、このリモコン５の側面には放送チャンネル選択用のダイヤルボタン６７が設けられている。
【００１８】
また、このリモコン５の上部には、赤外線発信部（図示せず）が設けられる。この赤外線発信部は、赤外線発光素子と赤外線透過フィルタとから構成される。リモコン５から受像機本体６０の受光部に向けて、赤外線信号が送信される。
【００１９】
また、リモコン５の上部には、メモリ装着部（図示せず）が設けられる。このメモリ装着部に、半導体メモリ（第１の記憶手段の一例）２０が着脱自在に装着される。この半導体メモリ５０は、例えばメモリースティック等の不揮発性半導体メモリ（カード状記録媒体）である。
【００２０】
さらに、受像機本体６０にも、半導体メモリ５０を着脱自在に装着するためのメモリ装着部（図示せず）が設けられている。この受像機本体６０のメモリ装着部に半導体メモリ５０を装着すると、受像機本体６０と半導体メモリ５０とが接続され、受像機本体６０によって取得されたチャンネルリストが半導体メモリ５０に書き込まれる。
【００２１】
チャンネルリストの書き込み後に、半導体メモリ５０を受像機本体６０から外してリモコン５に装着すると、図１に示すようにリモコン５の液晶表示部６１にチャンネルリストが表示される。ここで、ダイヤルボタン６７を図１に示すよう時計回り、又は半時計回りに回転させることによって、液晶表示部６１に表示されたチャンネルリストの中から所望のチャンネル、例えばＢＳの１４２ｃｈ（ｃｈａｎｎｅｌ）にカーソルを移動させることができる。
【００２２】
次に、ダイヤル４７を図１の左方向に押す。これにより、ＢＳの１４２ｃｈへのチャンネル設定が決定される。この決定と同時にリモコン５から受像機本体６０に所定の赤外線信号が送られ、受像機本体６０のチャンネル切り換え動作が実行される。
【００２３】
従って、視聴したい放送チャンネルを選択している間は、受像機本体６０での受信チャンネルの切り換えは実行されないので、受信可能な放送チャンネル数が膨大に存在する場合でも、受像機本体６０での受信チャンネルの切り換えを１回で済ませることができる。これにより、受像機本体６０の受信チャンネルの切り換えに伴う負担を低減できるので、テレビジョン受像機１００の高寿命化に貢献できる。
【００２４】
さらに、受像機本体６０で受信可能な全ての放送チャンネルのリストをリモコン５の液晶表示部６１で確認でき、そのリストの中から視聴したい放送チャンネルを選択し、決定できる。それゆえ、ユーザのチャンネル番号の誤認、混同を防止することができる。
【００２５】
尚、図１には示さないが、リモコン５にテンキーを設けることも可能である。この場合には、リモコンにチャンネル番号を数値入力して受信チャンネルを設定できるので、受信チャンネルの設定方法に対するユーザ側の選択の幅を広げることができる。
【００２６】
図２は、受像機本体６０の内部構成の一例を示すブロック図である。図２に示すように、この受像機本体６０の内部には、パラボラアンテナ３等で受信した画像信号を復調するＩＲＤ（Ｉｎｔｅｇｒａｔｅｄ　Ｒｅｃｅｉｖｅｒ／Ｄｅｃｏｄｅｒ）２が設けられている。
【００２７】
図２に示すパラボラアンテナ３はＬＮＢ（Ｌｏｗ　Ｎｏｉｓｅ　Ｂｌｏｃｋ　ｄｏｗｎ　ｃｏｎｖｅｒｔｅｒ）３ａを有しており、受信した画像信号を所定の周波数の信号に変換してＩＲＤ２に供給している。パラボラアンテナ３のＬＮＢ３ａより出力されたＲＦ信号は、フロントエンド２０のチューナ２１に供給され、復調される。チューナ２１の出力は、ＱＰＳＫ復調回路２２に供給され、ＱＰＳＫ復調される。ＱＰＳＫ復調回路２２の出力は、エラー訂正回路２３に供給され、誤りが検出、訂正され、必要に応じて補正される。
【００２８】
ＣＰＵ、ＲＯＭおよびＲＡＭ等から成るＩＣカードにより構成されているＣＡＭ（Ｃｏｎｄｉｔｉｏｎａｌ　Ａｃｃｅｓｓ　Ｍｏｄｕｌｅ）３３には、暗号を解読するのに必要なキーが、解読プログラムとともに格納されている。パラボラアンテナ３で受信される画像信号は暗号化されているため、この暗号を解読するにはキーと解読処理が必要となる。そこで、カードリーダインタフェース３２を介してＣＡＭ３３からこのキーが読み出され、デマルチプレクサ２４に供給される。デマルチプレクサ２４は、このキーを利用して、暗号化された信号を解読する。尚、このＣＡＭ３３には、暗号解読に必要なキーと解読プログラムの他、課金情報なども格納されている。
【００２９】
デマルチプレクサ２４は、フロントエンド２０のエラー訂正回路２３の出力する信号の入力を受け、解読したビデオ信号をＭＰＥＧビデオデコーダ２５に供給し、解読したオーディオ信号をＭＰＥＧオーディオデコーダ２６に供給する。ＭＰＥＧビデオデコーダ２５は、入力されたデジタルビデオ信号をＤＲＡＭ２５ａに適宜記憶させ、ＭＰＥＧ方式により圧縮されているビデオ信号のデコード処理を実行する。
【００３０】
デコードされたビデオ信号は、ＮＴＳＣエンコーダ２７に供給され、ＮＴＳＣ方式の輝度信号（Ｙ）、クロマ信号（Ｃ）、およびコンポジット信号（Ｖ）に変換される。輝度信号とクロマ信号は、バッファアンプ２８Ｙ，２８Ｃを介して、それぞれＳビデオ信号として出力される。また、コンポジット信号は、バッファアンプ２８Ｖを介して出力される。
【００３１】
ＭＰＥＧオーディオデコーダ２６は、デマルチプレクサ２４より供給されたデジタルオーディオ信号をＤＲＡＭ２６ａに適宜記憶させ、ＭＰＥＧ方式により圧縮されているオーディオ信号のデコード処理を実行する。デコードされたオーディオ信号は、Ｄ／Ａ変換器３０においてＤ／Ａ変換され、左チャンネルのオーディオ信号は、バッファアンプ３１Ｌを介して出力され、右チャンネルのオーディオ信号は、バッファアンプ３１Ｒを介して出力される。
【００３２】
ＲＦモジュレータ４１は、ＮＴＳＣエンコーダ２７が出力するコンポジット信号と、Ｄ／Ａ変換器３０が出力するオーディオ信号とをＲＦ信号に変換して出力する。また、このＲＦモジュレータ４１は、図示せぬＣＡＴＶ用のケーブルボックス等のＡＶ機器から入力されるＮＴＳＣ方式のＲＦ信号をスルーして、他のＡＶ機器にそのまま出力する。
【００３３】
ＣＰＵ（Ｃｅｎｔｒａｌ　Ｐｒｏｃｅｓｓｏｒ　Ｕｎｉｔ）２９は、ＲＯＭ３７に記憶されているプログラムに従って各種の処理を実行する。例えば、チューナ２１、ＱＰＳＫ復調回路２２、エラー訂正回路２３などを制御する。また、ＡＶ機器制御信号送受信部２Ａを制御し、コントロールライン１２を介して、他のＡＶ機器に所定のコントロール信号を出力し、また、他のＡＶ機器からのコントロール信号を受信する。
【００３４】
このＣＰＵ２９に対しては、受像機本体６０の操作ボタンスイッチ（図示せず）を操作して、所定の指令を直接入力することができる。また、リモコン５を操作すると、リモコン５側の赤外線発信部（以下で、ＩＲ発信部ともいう）より赤外線信号が出力され、出力された赤外線信号は、ＩＲＤ２側の赤外線受信部（以下で、ＩＲ受信部ともいう）３９Ａで受光される。そして、その受光結果がＣＰＵ２９に供給される。従って、リモコン５を操作することによっても、ＣＰＵ２９に所定の指令を入力することができる。また、ＣＰＵ２９は、ＩＲ発信部３９Ｂを制御し、赤外線信号を出力させる。出力された赤外線信号は、リモコン５のＩＲ受信部５１Ｂに受信される。本願発明の赤外線信号送信手段は、このＩＲ発信部３９ＢとＣＰＵ２９とから構成されている。
【００３５】
さらに、ＣＰＵ２９は、デマルチプレクサ２４が出力するビデオ信号とオーディオ信号以外の信号、例えば、本来の画像データに付加して伝送されてくる、現在時刻から数十時間後までの各放送チャンネル毎の番組情報（例えば、番組のチャンネル、放送時間、タイトル、カテゴリ等）などを取り込み、これからＥＰＧ（Ｅｌｅｃｔｒｉｃａｌ　Ｐｒｏｇｒａｍ　Ｇｕｉｄｅ）データを作成する。そして、このＥＰＧデータを第２の記憶手段の一例となるＳＲＡＭ（Ｓｔａｔｉｃ　Ｒａｎｄｏｍ　Ａｃｃｅｓｓ　Ｍｅｍｏｒｙ）３６に供給して記憶させる。
【００３６】
これらの情報の中には、各放送局の名称（略称を含む）とチャンネル番号も含まれている。画像データに付加して伝送されるＥＰＧ情報は、頻繁に伝送されてくるため、ＳＲＡＭ３６には最新のＥＰＧが保持されている。
【００３７】
また、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）３８には、電源オフ後も保持しておきたいデータなどが適宜記憶される。また、ＣＰＵ２９は、カレンダタイマ３５が出力する時刻情報と、デマルチプレクサ２４が受信信号から分離、出力するタイムスタンプとを比較し、その比較結果に対応して、正しいタイミングでデコード処理ができるように、ＭＰＥＧビデオデコーダ２５やＭＰＥＧオーディオデコーダ２６を制御する。
【００３８】
さらに、ＣＰＵ２９は、所定のＯＳＤ（Ｏｎ−Ｓｃｒｅｅｎ　Ｄｉｓｐｌａｙ）データを発生したいとき、ＭＰＥＧビデオデコーダ２５を制御する。ＭＰＥＧビデオデコーダ２５は、この制御に対応して所定のＯＳＤデータを生成してＤＲＡＭ２５ａに書き込み、さらに読み出して出力する。これにより、所定の文字、図形などを受像機本体６０のモニタ画面に適宜出力し、表示させることができる。
【００３９】
ところで、このＣＰＵ２９は、受像機本体６０が受信可能な全ての放送チャンネルをオートサーチすると共に、オートサーチした結果をチャンネルリストとしてＳＲＡＭ３６に記憶させるようになされている。この放送チャンネルのオートサーチは、例えば、受像機本体６０に頻繁に伝送されてくるＥＰＧデータを利用して行われる。
【００４０】
また、チャンネルリストの更新履歴を明確にするために、ＣＰＵ２９は１つのチャンネルリストに対して１つのチャンネルリストＩＤを付与し、このチャンネルリストＩＤをＳＲＡＭ３６に記憶させるようになされている。ＣＰＵ２９による、チャンネルリスト及びチャンネルリストＩＤの更新は随時行われる。
【００４１】
また、上述した半導体メモリ５０はＳＲＡＭ３６とパラに接続するようになされている。図２に示すように、半導体メモリ５０が受像機本体６０に装着されると、ＣＰＵ２９はＳＲＡＭ３６に記憶させたチャンネルリストとチャンネルリストＩＤを読み出す。そして、読み出したチャンネルリストとチャンネルリストＩＤを半導体メモリ５０に書き込む。これにより、ＳＲＡＭ３６に記憶されたチャンネルリストとチャンネルリストＩＤが半導体メモリ５０にも記憶される。
【００４２】
図３は、リモコン５の内部構成の一例を示すブロック図である。図３に示すように、マイコン７１はＣＰＵ７２を有し、このＣＰＵ７２は、ＲＯＭ７３に記憶されているプログラムに従って各種の処理を実行するようになされている。また、ＲＡＭ７４には、ＣＰＵ７２が各種の処理を実行する上において必要なデータなどが適宜記憶される。
【００４３】
ＣＰＵ７２は、音量調節ボタン６３や電源スイッチボタン６５等のボタン操作を検出するようになされている。また、ＣＰＵ７２はダイヤルボタン６７の回転方向と回転量を示すエンコーダ２２１の出力と、ダイヤルボタン６７のエンター操作等を検出する。また、さらに、ＣＰＵ７２は液晶表示部６１を駆動し、所定の文字、記号などを表示させる。
【００４４】
また、リモコン５がテンキーを有する場合には、図３に示すようにリモコン５の内部にボタンマトリックス８２が設けられる。この場合には、ＣＰＵ７２はボタンマトリックス８２からの信号を検出して、放送チャンネルを直接設定する機能も有している。
【００４５】
ＣＰＵ７２はまた、ＬＥＤドライバ７５を介してＩＲ発信部５１ＡのＬＥＤ７６を制御し、赤外線信号を出力させるようになされている。また、ＩＲ受信部５１Ｂのフォトダイオード（ＰＤ）８４は、受像機本体６０（図２参照）のＩＲ発信部３９Ｂより出力された赤外線信号を受光し、これを電気信号に変換して、ＰＤアンプ８３に出力する。ＰＤアンプ８３は、この信号を増幅し、ＣＰＵ７２に出力するようになされている。
【００４６】
このようにして、リモコン５のＣＰＵ７２とＩＲＤ２のＣＰＵ２９（図２参照）は、赤外線信号を介して相互に各種の指令を授受することができるようになされている。本願発明の赤外線信号受信手段は、上述したマイコン７１と、ＰＤ８４及びＰＤアンプ８３とから構成されている。また、図３に示すように、このマイコン７１と半導体メモリ５０とは脱着可能に接続されている。
【００４７】
図４はチャンネルリストのディレクトリ構成例を示す概念図である。図４に示すように、チャンネルリストはＢＳ放送やＣＳ放送、地上波放送（図示せず）ごとにディレクトリを有している。そして、ＢＳ放送や、ＣＳ放送等の各ディレクトリには、各チャンネル番号ごとにチャンネル情報が書き込まれたテキストファイルが保存される。
【００４８】
このようなチャンネルリストが記憶された半導体メモリをリモコン５に装着すると、その装着をリモコン５内のマイコン７１が認識する。そして、リモコン５の液晶表示部６１（図１参照）にＢＳ放送や、ＣＳ放送、地上波放送を区別した形（ディレクトリに対応した形）でチャンネル番号が表示される。ユーザがチャンネル切換を実行する際には、リモコン５のＧＵＩを利用して視聴したい放送チャンネルを選択し、リモコンのダイヤルボタン６７を押してチャンネルを決定する。
【００４９】
また、このディレクトリに保存されるテキストファイルには、チャンネル番号の他に、ＥＰＧ情報の一部である放送チャンネルのロゴ情報等（地上波放送を除く）を書き込むようにしても良い。これにより、リモコン５の液晶表示部６１には、チャンネル番号と、チャンネル番号に対応したロゴとを表示することができ、放送チャンネルを選択する際の視認性を高めることができる。
【００５０】
次に、上述したテレビジョン受像機１００のチャンネル設定動作例について、図５及び図６のフローチャートを参照しながら説明する。
まず始めに、図５のステップＡ１で、リモコン５内に設けられたマイコン７１は、半導体メモリ５０がリモコン５に装着されているか否かを確認する。ここで、半導体メモリ５０がリモコン５に装着されていない場合には、図５のステップＡ６に進む。ステップＡ６では、図７Ａに示すように、半導体メモリ５０の未装着を示すＧＵＩ表示が、リモコン５の液晶表示部６１に示される。この場合には、ユーザはリモコン５に半導体メモリ５０を装着する。
【００５１】
これにより、図７Ａに示すＧＵＩ表示は液晶表示部６１から消える。また、図７Ａのキャンセルを選択した場合も、このＧＵＩ表示は液晶表示部６１から消える。半導体メモリ５０がリモコン５に装着されている場合には、図５のステップＡ２に進む。
【００５２】
図５のステップＡ２で、リモコン５内に設けられたマイコン７１は、リモコン５に装着された半導体メモリ５０にチャンネルリスト格納用のディレクトリが存在するか否かを確認する。ここで、半導体メモリ５０にディレクトリが存在しない場合や、ディレクトリ構造が不正である場合には、図５のステップＡ７に進む。ステップＡ７では、図７Ｂに示すように、半導体メモリ５０にチャンネルリストがダウンロードされていないことを示すＧＵＩ表示がリモコン５の液晶表示部６１に示される。
【００５３】
そこで、ユーザはリモコン５から半導体メモリ５０を外し、この半導体メモリ５０を受像機本体６０に装着する。次に、この受像機本体６０のＳＲＡＭ３６に記憶された最新のチャンネルリストとチャンネルリストＩＤを半導体メモリ５０にダウンロードさせる。このダウンロードは、図７Ｂに示したリモコン５のＧＵＩを利用して行う。
【００５４】
このダウンロードが成功すると、図８Ｂに示すように、ダウンロード済みを示すＧＵＩ表示がリモコン５の液晶表示部６１に示される。このように、チャンネルリストが変更されたことがユーザに通知されるので、ユーザにとって使い勝手が良い。
【００５５】
ここで、図８Ｂのキャンセルを選択することにより、このＧＵＩ表示は液晶表示部６１から消える。その後、チャンネルリストを更新した半導体メモリ５０を再度リモコンに装着する。
【００５６】
尚、図８ＢのＧＵＩ表示でダウンロードを選択すると、半導体メモリ５０へのチャンネルリストのダウンロードが再度実行される。また、この図８Ｂに示すＧＵＩ表示は、受像機本体６０のモニタ画面上に表示するように設定しても良い。
【００５７】
半導体メモリ５０にチャンネルリストを格納するディレクトリが存在する場合には、図５のステップＡ３に進む。図５のステップＡ３で、リモコン５のマイコン７１は、図４に示したディレクトリ内にチャンネルリストが正しく格納されているかどうかを確認する。ここで、ディレクトリ内にチャンネルリストが格納されていない場合や、チャンネルリストが不正な状態である場合には、図５のステップＡ７に進む。ステップＡ７でのダウンロード設定動作は上述した通りである。
【００５８】
図４に示したディレクトリ内にチャンネルリストが存在する場合には、図５のステップＡ４に進む。図５のステップＡ４では、半導体メモリ５０に記憶されたチャンネルリストがリモコン５の液晶表示部６１に表示される。
【００５９】
図９Ａ及びＢは液晶表示部６１でのチャンネルリストのＧＵＩ表示例である。図９Ａ及びＢに示すように、チャンネルリストはディレクトリ構造に沿った形で表示される。ユーザは、このチャンネルリストの中から視聴したいチャンネル番号をＧＵＩを利用して決定する。
【００６０】
例えば、図１に示したダイヤルボタン６７を回転させることによって、図９Ａに示すように、放送チャンネルのロゴ（ｌｏｇｏ）とチャンネル番号（ｃｈ）に沿ってカーソル（白抜き部）を移動させることができる。ダイヤルボタン６７を反時計方向に回転させると、図９Ａの矢印上方向にカーソルを移動させることができる。ダイヤルボタン６７を時計方向に回転させると、図９Ａの矢印下方向にカーソルを移動させることができる。
【００６１】
また、例えば、図１に示したダイヤルボタン６７を押しながら回転させることによって、図９Ｂに示すように、ＢＳ／ＣＳ等の放送方式（ディレクトリ）に沿ってカーソル（白抜き部）を移動させることができる。ダイヤルボタン６７を押しながら反時計方向に回転させると、図９Ｂの矢印上方向にカーソルを移動させることができる。ダイヤルボタン６７を押しながら時計方向に回転させると、図９Ａの矢印下方向にカーソルを移動させることができる。
【００６２】
このように、ダイヤルボタン６７を回転させて所望の放送チャンネルにカーソルを合わせ、ダイヤルボタン６７を押す。これにより、視聴する放送チャンネルが決定される。
【００６３】
従来のチャンネル番号を数値入力する方式と比べて、ユーザがチャンネルの切り換えを行う際に、チャンネル番号を記憶しておく必要がないので、受信チャンネルを正確に設定できる。また、数値入力用のＧＵＩが表示されている短い時間内に、何桁にもなるチャンネル番号を入力する手間が省けるので、便利である。
【００６４】
また、このダイヤルボタンの押圧動作（放送チャンネルの決定）と同時に、図５のステップＡ５で、ユーザが選択したネットワークＩＤ（ディレクトリ）と、チャンネル番号（テキストファイル）と、チャンネルリストＩＤがリモコンのＩＲ発信部５１Ａから赤外線信号として出射される。
【００６５】
この赤外線信号が受像機本体６０のＩＲ受信部３９Ａに入射すると、図６のステップＢ１で、受像機本体６０内のＣＰＵ２９はリモコン５から送信されたとチャンネル番号がＳＲＡＭ３６に格納されているかどうかを確認する。ここで、ＳＲＡＭ３６内に選択されたチャンネル番号が存在しない場合には、図６のステップＢ４へ進む。
【００６６】
ステップＢ４では、図８Ａに示すように、半導体メモリ５０に新しいチャンネルリストがダウンロードされていないことを示すＧＵＩ表示がリモコン５の液晶表示部６１に示される。この場合には、ステップＡ７と同様のダウンロード処理を行う。
【００６７】
即ち、ユーザはリモコン５から半導体メモリ５０を外し、この半導体メモリ５０を受像機本体６０に装着する。次に、この受像機本体６０のＳＲＡＭ３６に記憶された最新のチャンネルリストとチャンネルリストＩＤを半導体メモリ５０にダウンロードさせる。このダウンロードが成功すると、図８Ｂに示したように、ダウンロード済みを示すＧＵＩ表示がリモコン５の液晶表示部６１に示される。その後、チャンネルリストを更新した半導体メモリ５０を再度リモコンに装着する。もちろん、図８Ｂに示したＧＵＩ表示を、受像機本体６０のモニタ画面上に表示させても良い。
【００６８】
ステップＢ１で、受像機本体６０のＳＲＡＭ３６内にリモコン５から送信されたネットワークＩＤとチャンネル番号が存在している場合には、図６のステップＢ２に進む。図６のステップＢ２では、リモコン５から送信されてきたチャンネル番号を受信するように、受像機本体６０でのチャンネルの切り換えがなされる。放送チャンネルを切り換えた後、図６のステップＢ３に進む。
【００６９】
次に、図６のステップＢ３で、半導体メモリ５０に格納されているチャンネルリストＩＤが最新のものかどうかかが受像機本体６０内のＣＰＵ２９によって確認される。ここで、半導体メモリ５０に格納されているチャンネルリストＩＤと、ＳＲＡＭ３６に格納されているチャンネルリストＩＤとが同一ならば、半導体メモリ５０に格納されているチャンネルリストは最新のものである。
【００７０】
また、半導体メモリ５０に格納されているチャンネルリストＩＤと、ＳＲＡＭ３６に格納されているチャンネルリストＩＤとが異なるならば、半導体メモリ５０に格納されているチャンネルリストを最新のリストに更新する必要がある。この場合には、図６のステップＢ４に進む。ステップＢ４でのダウンロード設定動作は上述した通りである。これにより、テレビジョン受像機１００のチャンネル設定動作を終了する。
【００７１】
このように、本発明に係るテレビジョン受像機１００によれば、受像機本体６０が受信可能な放送チャンネルのリストを記憶する書き換え可能な半導体メモリ５０を備え、この半導体メモリ５０がリモコン５に着脱自在に接続されることによって、当該半導体メモリ５０に記憶されたリストが該リモコン５の液晶表示部６１に表示されて成るものである。
【００７２】
従って、受像機本体６０側で放送チャンネルをいちいちアップダウン切り換えしなくても、リモコン５の液晶表示部６１に表示されたリストの中から視聴したい放送チャンネルを選択し決定することができる。また、視聴可能な放送チャンネルの番号をいちいち記憶し、かつ入力する手間を省くことができる。
【００７３】
これにより、受像機本体６０におけるチャンネル切り換えの頻度を低減できると共に、放送チャンネルの選局作業を迅速かつ正確に行うことができる。
【００７４】
さらに、書き換え可能かつ装着可能なメモリースティック等の記憶媒体を利用しているので、メモリースティックに記憶された放送チャンネルのリストをユーザの好みに合わせて容易にパソコン編集することができる。この場合には、編集後のメモリースティック５０を受像機本体６０に装着して、このメモリースティック５０に記憶された編集後のチャンネルリストと、チャンネルリストＩＤをＳＲＡＭ３６に格納すれば良い。
【００７５】
尚、この実施形態では、半導体メモリ５０を受像機本体６０に装着することによって、この半導体メモリ５０にテレビ受信機６０が受信可能なチャンネルリストを記憶させる場合について説明したが、これに限られることはない。例えば、ＳＲＡＭ３６に記憶された最新のチャンネルリストとチャンネルリストＩＤを赤外線信号に変換し、リモコン側に装着された半導体メモリ５０に転送しても良い。これにより、チャンネルリストとチャンネルリストＩＤのダウンロードを目的に、半導体メモリ５０をテレビ受信機６０に装着する手間を省くことができるので、便利である。
【００７６】
また、この実施形態では、半導体メモリ５０をリモコン５に装着した状態で受像機本体６０のチャンネル切り換えを行う場合について説明したが、半導体メモリ５０がリモコン５に装着されていない場合でも、受像機本体６０のチャンネル切り換えは可能である。
【００７７】
この場合には、例えばＳＲＡＭ３６（図２参照）に記憶されたチャンネルリストを受像機本体６０のモニタ画面６２の一部に表示させる。そして、このチャンネルリストの中から視聴したい放送チャンネルをリモコン５で選択し、決定する。この決定により受像機本体６０でのチャンネル切り換えが実行されるように設定することで、アップダウン式と比べてチャンネル切り換えの頻度を低減できる。また、半導体メモリ５０を紛失してしまった場合でも、チャンネルの切り換えを実行できるので安心である。
【００７８】
【発明の効果】
以上説明したように、本発明に係る放送受信装置によれば、放送受信手段が受信可能な放送チャンネルのリストを記憶する書き換え可能な記憶手段を備え、この記憶手段が遠隔操作手段に着脱自在に接続されると共に、当該記憶手段に記憶されたリストが該遠隔操作手段の表示部に表示されるものである。
【００７９】
この構成によって、放送受信手段側で放送チャンネルをいちいちアップダウン切り換えしなくても、遠隔操作手段の表示部に表示されたリストの中から視聴したい放送チャンネルを選択し決定することができる。また、視聴可能な放送チャンネルの番号をいちいち記憶し、かつ入力する手間を省くことができる。
【００８０】
従って、放送受信手段におけるチャンネル切り換えの頻度を低減できると共に、放送チャンネルの切り換えを迅速かつ正確に実行することができる。
【００８１】
さらに、遠隔操作手段から記憶手段を取り外すことができるので、記憶手段に記憶された放送チャンネルのリストをユーザの好みに合わせて容易に編集することができる。
【００８２】
この発明は、地上波放送や、ＢＳ／ＣＳ放送及びＣＡＴＶなど多数の放送チャンネルを受信してモニタ画面に画像を表示するテレビジョン受像機等に適用して極めて好適である。
【図面の簡単な説明】
【図１】本発明の実施形態に係るテレビジョン受像機１００の構成例を示す概念図である。
【図２】受像機本体６０の内部構成例を示すブロック図である。
【図３】リモコン５の内部構成例を示すブロック図である。
【図４】チャンネルリストのディレクトリ構造例を示す概念図である。
【図５】リモコン５のチャンネル設定動作例を示すフローチャートである。
【図６】受像機本体６０のチャンネル設定動作例を示すフローチャートである。
【図７】ＧＵＩの表示例（その１）を示す概念図である。
【図８】ＧＵＩの表示例（その２）を示す概念図である。
【図９】チャンネルリストのＧＵＩ表示例を示す概念図である。
【符号の説明】
５・・・リモコン（遠隔操作手段の一例）、３６・・・ＳＲＡＭ（第２の記憶手段の一例）、５０・・・半導体メモリ（第１の記憶手段の一例）、６０・・・受像機本体（放送受信手段の一例）、６１・・・液晶表示部、６７・・・ダイヤルボタン、１００・・・テレビジョン受像機（放送受信装置の一例）
【図１】
2004040224.tif 000003
【図２】
2004040224.tif 000004
【図３】
2004040224.tif 000005
【図４】
2004040224.tif 000006
【図５】
2004040224.tif 000007
【図６】
2004040224.tif 000008
【図７】
2004040224.tif 000009
【図８】
2004040224.tif 000010
【図９】
2004040224.tif 000011